(57)【特許請求の範囲】
【請求項１】
所定の間隔で立設された支柱と、これら支柱の上端部に横架された笠木と、隣り合う支柱間に配される枠なしのパネルと、該パネルを支柱側から点で支持する支持腕とを備え、前記支柱の見付け寸法を見込み寸法よりも小さくすることにより支柱をスリムにし、該支柱の正面部にその長手方向に沿ってスリットからボルトを突出させた状態でボルトの頭部を摺動自在に保持する保持溝を形成し、該保持溝に保持されたボルトと、該ボルトに螺合されたナットとにより前記支持腕を固定し、該支持腕に前記保持溝のスリットに係合して支持腕を水平に保持するための突条部を形成したことを特徴とする手摺。
【発明の詳細な説明】
【技術分野】
【０００１】
本発明は、手摺に係り、特に支柱の形状及びパネルの取付け構造を改良した手摺に関する。
【背景技術】
【０００２】
ベランダ等に設置される手摺としては、特許文献１に記載された手摺や支柱間にパネルを配してシンプルデザインと機能美を追及した手摺が知られている。この後者の手摺は、所定の間隔で立設された支柱と、これら支柱の上端部に横架された笠木と、隣り合う支柱間に配される枠付きのパネルと、該パネルの枠を支柱側から支持する支持腕とを備えて構成されている。前記支柱は見付け寸法と見込み寸法が略同じ角柱状に形成されており、該支柱の両側面に支持腕が取付けられている。
【０００３】
上記手摺においては、パネルから枠を取外してパネルを枠なし（フレームレス）の構造にし、パネル自体を支持腕により支持する構造を採用するようにすれば、更にシンプル化及び意匠性の向上を図ることが可能になると思われる。なお、パネルとしては、透明な材質のものもある。
【０００４】
【特許文献１】特開平１１−３５０６９５号公報
【発明の開示】
【発明が解決しようとする課題】
【０００５】
しかしながら、前述したようにパネルをフレームレスの構造にすると、今まで枠によって隠れていた太い支柱が透明な材質のパネルを通して屋外側から見えてしまうため、意匠性の向上を十分に図ることが難しい。また、前記手摺においては、支柱の両側面に支持腕をそれぞれ取付けなければならないため、取付構造及び取付作業の煩雑化を余儀なくされており、その支持腕の取付構造の煩雑化がデザインのシンプル化や意匠性の向上に対する妨げになっている。
【０００６】
本発明は、上記事情を考慮してなされたものであり、支持腕の取付構造及び取付作業の簡素化が図れると共に意匠性の向上が図れる手摺を提供することを目的とする。
【課題を解決するための手段】
【０００７】
上記目的を達成するために、本発明は、所定の間隔で立設された支柱と、これら支柱の上端部に横架された笠木と、隣り合う支柱間に配される枠なしのパネルと、該パネルを支柱側から点で支持する支持腕とを備え、前記支柱の見付け寸法を見込み寸法よりも小さくすることにより支柱をスリムにし、該支柱の正面部にその長手方向に沿ってスリットからボルトを突出させた状態でボルトの頭部を摺動自在に保持する保持溝を形成し、該保持溝に保持されたボルトと、該ボルトに螺合されたナットとにより前記支持腕を固定し、該支持腕に前記保持溝のスリットに係合して支持腕を水平に保持するための突条部を形成したことを特徴とする。
【発明の効果】
【０００８】
本発明によれば、所定の間隔で立設された支柱と、これら支柱の上端部に横架された笠木と、隣り合う支柱間に配される枠なしのパネルと、該パネルを支柱側から点で支持する支持腕とを備え、前記支柱の見付け寸法を見込み寸法よりも小さくすることにより支柱をスリムにし、該支柱の正面部にその長手方向に沿ってスリットからボルトを突出させた状態でボルトの頭部を摺動自在に保持する保持溝を形成し、該保持溝に保持されたボルトと、該ボルトに螺合されたナットとにより前記支持腕を固定し、該支持腕に前記保持溝のスリットに係合して支持腕を水平に保持するための突条部を形成しているため、スリムな支柱と相俟って支柱に対する支持腕の取付構造及び取付作業の簡素化が図れると共に意匠性の向上が図れ、支持腕の高さ調節も容易に行うことがでる。
【発明を実施するための最良の形態】
【０００９】
以下に、本発明を実施するための最良の形態を添付図面に基いて詳述する。図１は本発明の実施の形態である手摺を概略的に示す屋外側正面図、図２は図１のＡ−Ａ線拡大断面図、図３は図２のＢ−Ｂ線断面図、図４は片腕タイプの支持腕を支柱に取付けた状態を示す断面図、図５は支柱に対する支持腕及びパネルの取付け構造を説明する図である。
【００１０】
これらの図において、１は例えば建物のベランダに設置される手摺で、この手摺１は、所定の間隔で立設された支柱２と、これら支柱２…の上端部に横架された笠木３と、隣り合う支柱２，２間に配される枠なしのパネル４と、該パネル４を支柱２側から点で支持する支持腕５とを備えている。
【００１１】
前記支柱２の見付け寸法ａが見込み寸法ｂよりも十分に小さく形成され、該支柱２の正面部にはその長手方向に沿ってボルト６の頭部６ａを摺動自在に保持する保持溝７が形成され、該保持溝７に保持されたボルト６と、該ボルト６に螺合されたナット好ましくは袋ナット８により前記支持腕５が固定されている。
【００１２】
支柱２は、例えばアルミニウム合金の押出形材からなり、強度の向上を図るために内部に中空部９を有するホロー構造（中空構造）が採用されている。支柱２の見込み寸法ｂが例えば６０ｍｍ程度であるのに対し、見付け寸法ａが例えば１８ｍｍ程度とされている。支柱２の見付け寸法ａを見込み寸法ｂよりも十分に小さくすることにより支柱２のスリム化を図り、フレームレスで透明材質のパネル４を採用したとしても、屋外側から見えるのはスリムな支柱２であることから、意匠性の向上が十分に図れる。
【００１３】
前記支柱２を立設するために、建物のベランダ部分の躯体１０にはアンカー１１が設置されている。このアンカー１１は、躯体１０の上部に固着具である例えばネジ１２で固定されるベース部１１ａと、該ベース部１１ａに垂直に起立して設けられた板状の支持部１１ｂとを有する。該支持部１１ｂが支柱２の中空部９に挿入嵌合されるようになっている。アンカー１１の支持部１１ｂに対して支柱２の下端側を嵌合させ、これら支柱２と支持部１１ｂの両者に跨って横方向から通したボルト１３と、該ボルト１３に螺合されるナット好ましくは袋ナット１４とにより支柱２が固定されている。なお、躯体１０にはアンカー１１のベース部１１ａ及び躯体１０の上部を覆うカバー部材としての躯体側笠木（コーピング）１５が設けられていても良い。
【００１４】
支柱２の上端部には固定金具１６を介して手摺バーである笠木３が取付けられている。固定金具１６は、下部に支柱２の中空部９に上端側から挿入嵌合される嵌合片１６ａを有し、該嵌合片１６ａに対して支柱２の側方からネジ１７を捩じ込むことにより支柱２に固定金具１６が固定されている。固定金具１６は、上部に例えば正面Ｔ字状に形成された水平の支持片１６ｂを有している。笠木３は、例えばアルミニウム合金の押出形材からなり、ホロー構造とされている。笠木３の下部には断面略Ｃ字状の溝部１７が形成され、該溝部１７に挿入した裏板１８に対して前記支持片１６ｂの下方からネジ１９を捩じ込むことにより笠木３が固定されている。
【００１５】
支柱２の前面部には断面略Ｃ字状のいわゆるボルトホールとしての保持溝７が長手方向（上下方向）に沿って連続的に形成されており、この保持溝７に支持腕５の取付手段であるボルト６の頭部６ａが摺動自在に嵌合されている。ボルト６は、先端が支柱２の前面部から突出した状態で上下方向に摺動可能に保持されている。保持溝７に頭部６ａが嵌合することによってボルト６の回転が規制されている。
【００１６】
支持腕５としては、図３に示すように左右の両パネル４，４を支持する両腕タイプの支持腕５Ａと、図４に示すように片方のパネル４を支持する片腕タイプの支持腕５Ｂとがある。両腕タイプの支持腕５Ａは横長の金属板の中央部に断面Ｕ字状の取付部５ａをプレス加工により形成してなり、取付部５ａには図５に示すように前記ボルト６を通す孔部２０が形成され、両側片部５ｂ，５ｂにはパネル４の固定ボルト２６を通す孔部２１が形成されている。片腕タイプの支持腕５Ｂは、金属板の一端に断面Ｌ字状の取付部５ａを形成してなり、取付部５ａと側片部５ｂに孔部２０，２１が形成されている。片腕タイプの支持腕５Ｂは、手摺１の端の支柱に取付けられる。
【００１７】
支持腕５は、取付部５ａの孔部２０にボルト６を通し、該ボルト６にワッシャー２２及びスプリングワッシャ２３を装着して袋ナット８を螺合締結することにより支柱２の前面部に固定される。支持腕５の取付部５ａには、ボルト６を支点とする支持腕５の回転を防止するために、すなわち支持腕５を水平に保持するために、前記支柱２の前面部に開口した保持溝７の開口（スリット）７ａに屋外側から係合ないし嵌合する突条部２４が形成されていることが好ましい。
【００１８】
一方、前記パネル４は、ガラスパネル又は合成樹脂製のパネルからなる。また、パネル４は例えば透明又は半透明とされている。パネル４としては、周縁部に枠を有していないフレームレスのものが用いられる。パネル４の左右両側縁部にはこれを前記支持腕５により点で支持するための固定具２５が複数（図示例では左右に三つずつ）設けられている。
【００１９】
固定具２５は、頭部２６ａに円形の支持材２６ｂを固定した皿ボルトからなる固定ボルト２６と、該固定ボルト２６をパネル４に固定すべく固定ボルト２６に螺合される円形のナット２７とから主に構成されている。固定ボルト２６の先端はパネル４から屋内側へ突出している。パネル４には固定ボルト２６を通すための孔部２８が形成され、パネル４には屋外側から固定ボルト２６が挿通され、該固定ボルト２６に円形ナット２７を螺合締結することにより固定具２５が予め取付けられている。なお、支持材２６ｂと円形ナット２７の対向面にはクッション材２９，２９が設けられている。
【００２０】
パネル４は屋外側から屋内側へ引き寄せることにより支柱２の支持腕５に対して取付けられる。すなわち、パネル４に設けられた固定具２５の固定ボルト２６を支持腕５の孔部２１に屋外側から通し、固定ボルト２６にワッシャー３０及びスプリングワッシャ３１を装着してナット好ましくは袋ナット３２を螺合締結することにより支持腕５に取付けられる。これによりパネル４を容易に取付けることができる。
【００２１】
以上の構成からなる手摺１によれば、所定の間隔で立設された支柱２と、これら支柱２…の上端部に横架された笠木３と、隣り合う支柱２，２間に配される枠なしのパネル４と、該パネル４を支柱２側から点で支持する支持腕５とを備え、前記支柱２の見付け寸法ａが見込み寸法ｂよりも十分に小さく形成され、該支柱５の正面部にはその長手方向に沿ってボルト６の頭部６ａを摺動自在に保持する保持溝７が形成され、該保持溝７に保持されたボルト６と、該ボルト６に螺合されたナット８により前記支持腕５が固定されているため、支持腕５の取付構造及び取付作業の簡素化が図れると共に意匠性の向上が図れる。
【００２２】
すなわち、支柱２をスリムに形成し、その前面部（正面部）にボルト６の保持溝７を形成し、支柱２の前面部にボルト６とナット（袋ナット）８により支持腕５を固定するように構成したので、スリムな支柱２と相俟って支柱２に対する支持腕５の取付構造及び取付作業の簡素化が図れる。従来の手摺と異なり支柱の両側面に支持腕を取付ける必要がないため、構造が十分簡素化され、手摺のデザインのシンプル化及び意匠性の飛躍的向上が図れる。また、保持溝７にボルト６の頭部６ａが摺動自在に保持されていることにより支持腕５の高さ調節を容易に行うことができる。
【００２３】
また、支持腕５にはその取付け時に保持溝７の開口７ａに嵌合する突条部２４が形成されているため、ボルト６を支点とする支持腕５の回転を防止して支持腕５を水平に保持することができ、支持腕５及びパネル４の取付性ないし施工性の向上が図れる。更に、パネル４は屋外側から屋内側へ引き寄せて支柱２の支持腕５に容易に取付けることができるので、取付作業性ないし施工性の向上が図れる。
【００２４】
図６は支柱の立設構造の他の例を示す図である。図６の実施例において、図２の実施例と同一部分は同一符号を付して説明を省略する。本実施例では、アンカー１１が、ベース部１１ａと、該ベース部１１ａに設けられ、支柱２の下端部を挿入嵌合させて支柱２を立設するための嵌合穴１１ｃを有する支持部１１ｂとから構成されている。支柱２は、支持部１１ｂの側方からネジ３３を捩じ込むことにより固定されている。本実施例では躯体側笠木（コーピング）は設けられていない。
【００２５】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば、本発明にかかる手摺は、ベランダ以外に、例えば建物の屋上等にも設置することが可能である。
【図面の簡単な説明】
【００２６】
【図１】本発明の実施の形態である手摺を概略的に示す屋外側正面図である。
【図２】図１のＡ−Ａ線拡大断面図である。
【図３】図２のＢ−Ｂ線断面図である。
【図４】片腕タイプの支持腕を支柱に取付けた状態を示す断面図である。
【図５】支柱に対する支持腕及びパネルの取付け構造を説明する図である。
【図６】支柱の立設構造の他の例を示す図である。
【符号の説明】
【００２７】
１  手摺
２  支柱
３  笠木
４  パネル
５  支持腕
６  ボルト
６ａ  ボルトの頭部
７  保持溝
８  袋ナット（ナット）
【図１】
0004815160.tif 000002
【図２】
0004815160.tif 000003
【図３】
0004815160.tif 000004
【図４】
0004815160.tif 000005
【図５】
0004815160.tif 000006
【図６】
0004815160.tif 000007